(57)【要約】【課題】インターホン機能で、送話状態か受話状態かが分からず話しの頭が切れて他方のリモコンで聞き取れなかったり、会話がスムーズに行かない場合があった。【解決手段】本発明の給湯機リモコンは、マイクロコンピューター８と、液晶や蛍光表示管などを用いた表示部５，６と、本体と各リモコンの間で情報を相互に伝達する通信制御部１１と、マイクと音声変調回路からなる送話機能制御部９と、音声復調回路とアンプとスピーカからなる受話機能制御部１０と、インターホン機能をＯＮ／ＯＦＦするための通話スイッチ３，４とを有し、通話スイッチ３，４でインターホン機能をＯＮにした時は、表示部５，６には少なくとも受話中または送話中であることを表示する構成とした。【選択図】図３
2006170552.tif 000002
【特許請求の範囲】
【請求項１】
半二重方式のインターホン機能付きの給湯機リモコンを複数台接続した給湯システムにおいて、前記給湯機リモコンは、マイクロコンピューターと、液晶や蛍光表示管などを用いた表示部と、本体と各リモコンの間で情報を相互に伝達する通信制御部と、マイクと音声変調回路からなる送話機能制御部と、音声復調回路とアンプとスピーカからなる受話機能制御部と、インターホン機能をＯＮ／ＯＦＦするための通話スイッチとを有し、前記通話スイッチでインターホン機能をＯＮにした時は、前記表示部には少なくとも受話中または送話中であることを表示することを特徴とする給湯機リモコン。
【請求項２】
表示部には時間表示をするための７セグメント数表示を用いた時計表示部を備え、前記時計表示部のセグメントを組み合わせて表示させることにより、受話中または送話中であることを表示することを特徴とする請求項１に記載の給湯機リモコン。
【請求項３】
インターホン機能がＯＦＦの時には、給湯システムの動作状態及び時間表示を行い、インターホン機能がＯＮの時には、前記時計表示部のセグメントを組み合わせて表示させることにより、受話中または送話中であることを表示することを特徴とする請求項１または２に記載の給湯機リモコン。
【発明の詳細な説明】
【技術分野】
【０００１】
本発明は電気負荷やヒートポンプ加熱による貯湯式、またはガス式、または石油式、などの給湯機に接続されるリモコンに搭載された半二重方式のインターホン機能の使い勝手改善に関するものである。
【背景技術】
【０００２】
現在、お湯が使われる場所（例えば、浴室や台所、洗面所など）に給湯温度の設定や変更をしたり、風呂湯はりの操作をするための複数のリモコンが設置され、それらと給湯機本体とが接続されて給湯システムが知られている。近年、この複数の給湯機リモコンの間で会話するためにインターホン機能を搭載されたものがあり、コスト、回路実装面積の制約などから一般的に半二重方式のインターホン機能を搭載するのが一般的である。このとき、送話状態か受話状態かが分からず話しの頭が切れて他方のリモコンで聞き取れなかったり、会話がスムーズに行かない場合があった。
【０００３】
そして、送話状態か受話状態かを視覚的に判別するための専用表示を付けた給湯機リモコンも特許文献１に示されるようなものが知られている。
【特許文献１】特開２００３−２５４６００号公報
【発明の開示】
【発明が解決しようとする課題】
【０００４】
しかしながら、前記従来の構成では、半二重方式のインターホン機能では話すタイミングが分からず、相手の話し終わりを待たずしゃべると頭切れを起こし使い勝手が悪い、と言う課題があった。また、送話状態か受話状態かを判別するための専用表示を付けるとコストアップになるという課題を有していた。
【０００５】
本発明は、前記従来の課題を解決するもので、給湯システムに接続される給湯機リモコンに搭載された半二重方式のインターホン機能において、表示部に受話中または送話中を表示することで話し始めるタイミングをより分かりやすくし、コストアップすることなく、使い勝手を良くした給湯機リモコンを提供することを目的とする。
【課題を解決するための手段】
【０００６】
前記従来の課題を解決するために、本発明の給湯機リモコンは、マイクロコンピューターと、液晶や蛍光表示管などを用いた表示部と、本体と各リモコンの間で情報を相互に伝達する通信制御部と、マイクと音声変調回路からなる送話機能制御部と、音声復調回路とアンプとスピーカからなる受話機能制御部と、インターホン機能をＯＮ／ＯＦＦするための通話スイッチとを有し、前記通話スイッチでインターホン機能をＯＮにした時は、前記表示部には少なくとも受話中または送話中であることを表示する構成としたものである。
【０００７】
これによって、インターホン機能で自分が受話中であるのか送話中であるのかが表示部で確認できるので、話すタイミングが分かりやすくなり、会話の頭切れを防止することができ、使い勝手が良くなる。
【発明の効果】
【０００８】
本発明の給湯機リモコンは、半二重方式のインターホン機能において、表示部に少なくとも受話中または送話中を表示することで話すタイミングをより分かりやすくし、会話の頭切れを防止することができ、使い勝手を良くすることができる。
【発明を実施するための最良の形態】
【０００９】
第１の発明は、半二重方式のインターホン機能付きの給湯機リモコンを複数台接続した給湯システムにおいて、前記給湯機リモコンは、マイクロコンピューターと、液晶や蛍光表示管などを用いた表示部と、本体と各リモコンの間で情報を相互に伝達する通信制御部と、マイクと音声変調回路からなる送話機能制御部と、音声復調回路とアンプとスピーカからなる受話機能制御部と、インターホン機能をＯＮ／ＯＦＦするための通話スイッチとを有し、前記通話スイッチでインターホン機能をＯＮにした時は、前記表示部には少なくとも受話中または送話中であることを表示する構成とすることにより、インターホン機能で自分が受話中であるのか送話中であるのかが、表示部で確認できるので話すタイミングが分かりやすくなり、会話の頭切れを防止することができ、使い勝手を良くすることができる。
【００１０】
第２の発明は、特に、第１の発明の給湯機リモコンを、表示部には時間表示をするための７セグメント数表示を用いた時計表示部を備え、前記時計表示部のセグメントを組み合わせて表示させることにより、受話中または送話中であることを表示する構成とすることにより、インターホン機能をＯＮしたときに時間表示部のセグメントを使って擬似的に自分が受話中であるのか送話中であるのかを表示させるので、インターホン機能のための新たな表示部を設ける必要もなく、受話中であるのか送話中であるのかを確認できるので、コストアップすることなく、使い勝手を良くすることができる。
【００１１】
第３の発明は、特に、第１または第２の発明の給湯機リモコンを、インターホン機能がＯＦＦの時には、給湯システムの動作状態及び時間表示を行い、インターホン機能がＯＮの時には、前記時計表示部のセグメントを組み合わせて表示させることにより、受話中または送話中であることを表示する構成とすることにより、インターホン機能をＯＮしたときに時間表示部のセグメントを使って擬似的に自分が受話中であるのか送話中であるのかを表示させるので、インターホン機能のための新たな表示部を設ける必要もなく、受話中であるのか送話中であるのかを確認できるので、コストアップすることなく、使い勝手を良くすることができる。また、給湯温度や風呂温度といった給湯システムの動作状態の表示はインターホン機能のＯＮ／ＯＦＦに関係なく表示しているので、使い勝手を損なうことがない。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における給湯システムの構成図であり、お湯が使われる場所（例えば、浴室や台所、洗面所など）に複数のインターホン機能付きのリモコンが設置され、それらと給湯機本体とが接続されて給湯システムが構成されている。
【００１４】
図１において、１は台所リモコンであり、２は浴室リモコンである。３は台所リモコン１でインターホン機能をＯＮ／ＯＦＦするための通話スイッチであり、４は浴室リモコン２でインターホン機能をＯＮ／ＯＦＦするための通話スイッチである。５は台所リモコン１の表示部であり、給湯温度や風呂温度などの給湯システムの動作状態を表示する部分と現在時刻や風呂湯はり予約時刻を表示する時間表示部を備えている。６は浴室リモコン２の表示部であり、給湯温度や風呂温度などの給湯システムの動作状態を表示する部分と現在時刻や風呂湯はり予約時刻を表示する時間表示部を備えている。７は電気負荷やヒートポンプ加熱による貯湯式、またはガス式、または石油式、などの給湯機本体である。
【００１５】
図２は、本発明の第１の実施の形態における給湯機リモコンのブロック図である。
【００１６】
図２において、８はマイクロコンピューターであり、９はマイクとマイクから入力された音声データを変調する変調回路からなる送話機能制御部であり、１０は通信データを音声データに復調する復調回路と音声データを発声するスピーカからなる受話機能制御部であり、１１は給湯機本体７と台所リモコン１と浴室リモコン２の間で給湯温度や風呂湯はり温度などの給湯システム情報や音声データを相互に伝達する通信制御部であり、１２は通話スイッチ５を含む操作部である。
【００１７】
図３は、本発明の第１の実施の形態における給湯機リモコンの表示例である。
【００１８】
以上のように構成された給湯機リモコンについて、台所リモコン１をメインに、以下その動作、作用を説明する。
【００１９】
まず、インターホン機能がＯＦＦの時は、マイクロコンピューター８は、表示部３に、図３の（ａ）に示すような表示をするように指示する。つまり、給湯システムに必要な、給湯温度や風呂温度、貯湯式の場合の残湯量といった給湯機の動作状態の表示を指示するとともに、時計表示部には現在時刻や風呂湯はりの予約時刻といった時間表示をするよに指示している。
【００２０】
次に、通話スイッチ３を押してインターホン機能をＯＮすると、マイクロコンピューター８は送話機能制御部９と受話機能制御部１０を動作可能状態にする。そして、表示部３は、図３の（ｃ）に示すように給湯システムに必要な、給湯温度や風呂温度、貯湯式の場合の残湯量といった給湯機の動作状態の表示を指示するとともに、時計表示部には相手が送話していないことを擬似的に示すセグメントの組み合わせ表示に切り替える。インターホン機能をＯＮしても、給湯システムに必要な情報は表示部３に表示されており、操作部１２にある「ふろ自動」をＯＮすれば、風呂湯はりを実行することができ、「アップ」「ダウン」キーで給湯温度を変更するといったこともできる。そして、浴室リモコン２側でユーザがしゃべり始めると、通信制御部１１が音声データを受信して受話機能制御部１０で音声データが復元されて、台所リモコン１の表示部３は図３の（ｂ）に示すように浴室側でしゃべっているのを擬似的にイメージさせるセグメントの組み合わせ表示を時計表示部を使って行う。台所側のユーザはこの擬似表示が出ているときはしゃべっても相手側に送信できないことが認識できるので表示が図３の（ｃ）になるまで待つので使い勝手が良くすることができる。そして、浴室リモコン２からの送話が終わると、通信制御部１１は音声データが浴室リモコン２から送信されてきていないことを判別して表示部３の表示を図３の（ｃ）の表示に切り替える。
【産業上の利用可能性】
【００２１】
本発明は電気負荷やヒートポンプ加熱による貯湯式、またはガス式、または石油式、などの給湯機に接続されるリモコンに搭載された半二重方式のインターホン機能として有用である。
【図面の簡単な説明】
【００２２】
【図１】本発明の実施の形態１における給湯システムの構成図
【図２】本発明の実施の形態１における給湯機リモコンのブロック図
【図３】本発明の実施の形態１における表示例であり、（ａ）はインターホン機能がＯＦＦの時の状態を示す図、（ｂ）は浴室リモコン側でユーザがしゃべり始めた時の状態を示す図、（ｃ）はインターホン機能をＯＮしているがユーザがしゃべっていない時の状態を示す図
【符号の説明】
【００２３】
１  台所リモコン
２  浴室リモコン
３  通話スイッチ（台所リモコン側）
４  通話スイッチ（浴室リモコン側）
５  表示部（台所リモコン側）
６  表示部（浴室リモコン側）
７  給湯機本体
８  マイクロコンピューター
９  送話機能制御部
１０  受話機能制御部
１１  通信制御部
１２  操作部
【図１】
2006170552.tif 000003
【図２】
2006170552.tif 000004
【図３】
2006170552.tif 000005